(57)【特許請求の範囲】
【請求項１】
第１放送形式及び第２放送形式の放送信号を受信する携帯端末装置であって、
放送受信内容を第１表示サイズあるいは第２表示サイズの何れかの表示サイズで表示画面上に表示する表示手段と、
前記表示画面上に表示する放送受信内容の表示サイズを第１表示サイズから第２表示サイズに変更した際は、現在受信している放送形式が変更された第２表示サイズに適した放送形式か否かを判別する第１判別手段と、
前記第１放送形式から前記第２放送形式へ放送形式を切り替える場合に当該第２放送形式においてもその放送受信内容の継続視聴が可能か否かを判別する第２判別手段と、
前記第１判別手段で前記変更された第２表示サイズに適した放送形式であると判別された場合には、当該放送形式で受信している放送受信内容の表示サイズを前記第２表示サイズに変更して表示する第１表示制御手段と、
前記第１判別手段で前記変更された第２表示サイズに適した放送形式でないと判別され、かつ前記第２判別手段で継続視聴が可能と判別された場合には、受信する放送形式を前記変更された第２表示サイズに適した放送形式に切替えて、その放送受信内容を当該第２表示サイズで表示する第２表示制御手段と、
前記第１判別手段で前記変更された第２表示サイズに適した放送形式でないと判別され、かつ前記第２判別手段で継続視聴が可能でないと判別された場合には、現在受信している放送形式を継続したままその放送受信内容の表示サイズを前記変更された第２表示サイズに変更して表示する第３表示制御手段と、
を具備したことを特徴とする携帯端末装置。
【請求項２】
前記放送信号は、１セグメント放送と１２セグメント放送とを共に有するデジタル放送信号であって、前記第２表示サイズが前記第１表示サイズよりも大きい場合に、前記第１表示サイズに適した放送形式が前記第１セグメント放送であり、前記第２表示サイズに適した放送形式が前記１２セグメント放送である、
ことを特徴とする請求項１記載の携帯端末装置。
【請求項３】
前記表示サイズの変更は、画面上における表示領域の大きさ自体の変更であり、縦横比が異なる画面に対してその画面の向きを切り替える縦横切替操作が行われた場合、複数のスタイルに変更可能な装置本体が所定のスタイルに変更されることによって画面の向きが変更された場合、装置本体をクレードル装置にセットすることによって画面の向きが変更された場合、装置本体の向きを変更することによって画面の向きが変更された場合のうち、少なくともその何れかを検出した際に、表示サイズの変更を指示する、
ことを特徴とする請求項１記載の携帯端末装置。
【請求項４】
前記表示サイズの変更が指示された際に、前記継続受信可能か否かの判別に先立って、現在受信中の放送形式を判別した結果、前記第１放送形式であれば、前記継続受信が可能か否かの判別を行わせ、前記第２放送形式であれば、この第２放送形式の放送内容を前記第２表示サイズで表示させる、
ようにしたことを特徴とする請求項１記載の携帯端末装置。
【請求項５】
前記第２判別手段は、前記第２放送形式で放送される番組が前記第１放送形式で放送される番組と同一か否かに基づいて前記継続受信が可能か否かを判別する、
ようにしたことを特徴とする請求項１記載の携帯端末装置。
【請求項６】
前記第２判別手段は、前記第１放送形式での受信チャンネルを前記第２放送形式で受信した場合の受信品質に基づいて前記継続受信が可能か否かを判別する、
ようにしたことを特徴とする請求項１記載の携帯端末装置。
【請求項７】
コンピュータに対して、
第１放送形式及び第２放送形式の放送信号を受信する機能と、
放送受信内容を第１表示サイズあるいは第２表示サイズの何れかの表示サイズで表示画面上に表示する機能と、
前記表示画面上に表示する放送受信内容の表示サイズを第１表示サイズから第２表示サイズに変更した際は、現在受信している放送形式が変更された第２表示  サイズに適した放送形式か否かを判別する機能と、
前記第１放送形式から前記第２放送形式へ放送形式を切り替える場合に当該第２放送形式においてもその放送受信内容の継続視聴が可能か否かを判別する機能と、
前記判別で前記変更された第２表示サイズに適した放送形式であると判別された場合には、当該放送形式で受信している放送受信内容の表示サイズを前記第２表示サイズに変更して表示する機能と、
前記判別で前記変更された第２表示サイズに適した放送形式でないと判別され、かつ前記判別で継続視聴が可能と判別された場合には、受信する放送形式を前記変更された第２表示サイズに適した放送形式に切替えて、その放送受信内容を当該第２表示サイズで表示する機能と、
前記判別で前記変更された第２表示サイズに適した放送形式でないと判別され、かつ前記判別で継続視聴が可能でないと判別された場合には、現在受信している放送形式を継続したままその放送受信内容の表示サイズを前記変更された第２表示サイズに変更して表示する機能と、
を実現させるためのプログラム。
【発明の詳細な説明】
【技術分野】
【０００１】
この発明は、放送信号を受信して表示可能な携帯端末装置及びプログラムに関する。
【背景技術】
【０００２】
一般に、地上デジタルテレビ放送では、放送局毎に割り当てられている１チャンネルを１３セグメントに分割し、この分割帯域の中の１２セグメントを高画質、高音質のハイビジョン放送用（高解像度１２セグ放送用）とし、残りの１セグメントを移動体機器用（簡易型低解像度の１セグ放送用）としているが、この１セグ放送と１２セグ放送とを受信して表示可能なデジタル放送受信装置としては、従来、表示サイズに応じて１セグ放送を受信するよう制御するか、１２セグ放送を受信するよう制御するようにした技術が知られている（特許文献１参照）。
一方、１２セグ放送を受信して出力している状態において、この受信放送の受信品質（受信感度）が低下した場合に、そのサイマル放送が行われていることを条件に、１２セグ放送から１セグ放送への切り替えが可能である旨のメッセージを表示するようにした技術が知られている（特許文献２参照）。
【特許文献１】特開２００４−２８９７１２号公報
【特許文献２】特開２００７−９６５０８号公報
【発明の開示】
【発明が解決しようとする課題】
【０００３】
しかしながら、上述した特許文献１の技術にあっては、表示サイズに応じて１セグ放送又は１２セグ放送を自動選択した際に、必ずしも希望する番組が放送されているとは限らない。つまり、同じチャンネルであっても１セグ放送と１２セグ放送とで異なった番組を放送している場合もあり、１セグ放送の視聴中に大きなサイズで視聴するために１２セグ放送への切り替えを指示する切り替え操作を行ったとしても、そのチャンネルの１２セグ放送で希望する番組が放送されていなければ、元の１セグ放送に戻す操作を行わなければならず、操作の煩雑化を招くほか、異なる番組を同じ番組であると誤認してしまう危険性もあった。
一方、上述した特許文献２の技術にあっては、メッセージ表示によってサイマル放送中であることを確認したのちに、１２セグ放送から１セグ放送への切り替え操作を行わなければならず、ユーザに大きな負担をかけてしまう。
【０００４】
この発明の課題は、放送内容の受信表示中にその表示に関する変更を指示するだけで、その放送内容の視聴を寸断することなく、当該放送内容を変更後の表示状態で視聴できるようにすることである。
【課題を解決するための手段】
【０００５】
請求項１記載の発明は、第１放送形式及び第２放送形式の放送信号を受信する携帯端末装置であって、放送受信内容を第１表示サイズあるいは第２表示サイズの何れかの表示サイズで表示画面上に表示する表示手段と、前記表示画面上に表示する放送受信内容の表示サイズを第１表示サイズから第２表示サイズに変更した際は、現在受信している放送形式が変更された第２表示サイズに適した放送形式か否かを判別する第１判別手段と、前記第１放送形式から前記第２放送形式へ放送形式を切り替える場合に当該第２放送形式においてもその放送受信内容の継続視聴が可能か否かを判別する第２判別手段と、前記第１判別手段で前記変更された第２表示サイズに適した放送形式であると判別された場合には、当該放送形式で受信している放送受信内容の表示サイズを前記第２表示サイズに変更して表示する第１表示制御手段と、前記第１判別手段で前記変更された第２表示サイズに適した放送形式でないと判別され、かつ前記第２判別手段で継続視聴が可能と判別された場合には、受信する放送形式を前記変更された第２表示サイズに適した放送形式に切替えて、その放送受信内容を当該第２表示サイズで表示する第２表示制御手段と、前記第１判別手段で前記変更された第２表示サイズに適した放送形式でないと判別され、かつ前記第２判別手段で継続視聴が可能でないと判別された場合には、現在受信している放送形式を継続したままその放送受信内容の表示サイズを前記変更された第２表示サイズに変更して表示する第３表示制御手段と、を具備したことを特徴とする。
更に、コンピュータに対して、上述した請求項１記載の発明に示した主要機能を実現させるためのプログラムを提供する（請求項７記載の発明）。
【０００６】
なお、上述した請求項１記載の発明は次のようなものであってもよい。
前記放送信号は、１セグメント放送と１２セグメント放送とを共に有するデジタル放送信号であって、前記第２表示サイズが前記第１表示サイズよりも大きい場合に、前記第１表示サイズに適した放送形式が前記第１セグメント放送であり、前記第２表示サイズに適した放送形式が前記１２セグメント放送である（請求項２記載の発明）。
【０００７】
前記表示サイズの変更は、画面上における表示領域の大きさ自体の変更であり、縦横比が異なる画面に対してその画面の向きを切り替える縦横切替操作が行われた場合、複数のスタイルに変更可能な装置本体が所定のスタイルに変更されることによって画面の向きが変更された場合、装置本体をクレードル装置にセットすることによって画面の向きが変更された場合、装置本体の向きを変更することによって画面の向きが変更された場合のうち、少なくともその何れかを検出した際に、表示サイズの変更を指示する（請求項３記載の発明）。
【０００８】
前記表示サイズの変更が指示された際に、前記継続受信可能か否かの判別に先立って、現在受信中の放送形式を判別した結果、前記第１放送形式であれば、前記継続受信が可能か否かの判別を行わせ、前記第２放送形式であれば、この第２放送形式の放送内容を前記第２表示サイズで表示させる（請求項４記載の発明）。
【０００９】
前記第２判別手段は、前記第２放送形式で放送される番組が前記第１放送形式で放送される番組と同一か否かに基づいて前記継続受信が可能か否かを判別する（請求項５記載の発明）。
【００１０】
前記第２判別手段は、前記第１放送形式での受信チャンネルを前記第２放送形式で受信した場合の受信品質に基づいて前記継続受信が可能か否かを判別する（請求項６記載の発明）。
【発明の効果】
【００１４】
本発明によれば、受信した放送内容の表示中にその表示サイズを変更した際は、その放送内容の視聴を寸断することなく、当該放送内容を変更後の表示サイズで視聴することができるようになる。
【発明を実施するための最良の形態】
【００１６】
（実施形態１）
以下、図１〜図６を参照して本発明の第１実施形態を説明する。
図１は、携帯端末装置として適用した携帯電話装置の外観図である。
携帯電話装置は、装置本体を構成する操作部筐体１と表示部筐体２とをヒンジ部３を介して折り畳み開閉自在に連結すると共に回動自在に連結した２軸ヒンジタイプの携帯電話装置である。図１（１）は、操作部筐体１と表示部筐体２との折り畳みを開いた状態のオープンスタイルを示している。この表示部筐体２には縦横比が異なる表示画面（例えば、８００×４８０ドットの長方形画面）ＤＰが設けられており、このオープンスタイルでは表示画面ＤＰを縦長の状態で使用するようにしている。図１（２）は、オープンスタイルの状態において表示部筐体２をヒンジ部３内の開閉軸に直交する回動軸を中心として１８０度回動させた状態の反オープンスタイルを示している。また、図１（３）は、この反オープンスタイルから表示部筐体２を折り畳み始めた途中の状態を示し、（４）は、この状態から表示部筐体２を完全に閉じた状態のビュースタイルを示している。このビュースタイルでは表示画面ＤＰを横長の状態で通常使用するようにしている。
【００１７】
図２は、携帯電話装置の基本的な構成要素を示したブロック図である。
この携帯電話装置は、通話機能、電子メール機能、インターネット接続機能（Ｗｅｂアクセス機能）、テレビ放送受信機能などが備えられている。ＣＰＵ１１は、記憶部１２内の各種のプログラムに応じて携帯電話装置の全体動作を制御する中核的な中央演算処理装置である。記憶部１２は、内部メモリであり、プログラム領域とデータ領域とを有し、このプログラム領域には、後述する図４及び図５に示す動作手順に応じて本実施形態を実現するためのプログラムが格納されている。記録メディア１３は、着脱自在な可搬型メモリで、例えば、ＳＤカード、ＩＣカードなどによって構成されている。メモリ１４は、ワーク領域を有する内部メモリであり、必要に応じてメモリ１４内の各種のデータは、記憶部１２にセーブされる。
【００１８】
無線通信部１５は、無線部、ベースバンド部、多重分離部などを備え、例えば、通話機能、電子メール機能、インターネット接続機能の動作時などで最寄りの基地局との間でデータの送受信を行うもので、通話機能の動作時にはベースバンド部の受信側から信号を取り込んで受信ベースバンド信号に復調したのち、音声信号処理部１６を介して送話スピーカＳＰから音声出力させ、また、受話マイクＭＣからの入力音声データを音声信号処理部１６から取り込み、送信ベースバンド信号に符号化したのち、ベースバンド部の送信側に与えてアンテナから発信出力させる。
【００１９】
テレビ放送通信部１７は、地上波デジタルテレビ放送と共に、その電子番組表（ＥＰＧ）などの番組情報も含めて受信可能なもので、地上波デジタルテレビ放送では、上述したように１チャンネルを１３セグメントに分割した各分割帯域の中の１２セグメントを１２セグ放送用とし、残りの１セグメントを１セグ放送用としているが、テレビ放送通信部１７は、この１セグ放送（第１放送形式）と１２セグ放送（第２放送形式）とを切り替えて受信可能となっている。なお、一般にユーザは高品質な放送を視聴するときには１２セグ放送を選択し、１２セグ放送の受信環境が悪いときには品質が低下しても受信環境の影響が少ない１セグ放送を選択するようにしているが、何れを選択するかは任意である。
【００２０】
テレビ放送通信部１７は、専用アンテナに接続されていて放送信号を抽出する受信部（アナログ回路部）と、受信した放送信号をＯＦＤＭ（直交周波数分割多重）復調したり、多重化されている放送信号から１２セグ放送用の映像データ、音声データ、文字データに分離して復号化したり、１セグ放送用の映像、音声、データ（文字データ）に分離して復号化したり、１２セグ放送と１セグ放送との切り替えを制御したり、圧縮データの解凍などを行うデジタル回路部とを有している。
【００２１】
表示制御部１８は、高精細液晶あるいは有機ＥＬなどを使用した表示画面（長方形画面）ＤＰをＣＰＵ１１からの指示に応じて制御するもので、この表示画面ＤＰにテレビ映像を表示させる場合には、表示画面ＤＰの向きに応じた表示制御を行うようにしている。つまり、表示画面ＤＰの長手方向（長辺方向）を左右方向（横方向）とする状態（以下、横向き状態と称する）にあるか、その長手方向を上下方向（縦方向）とする状態（以下、縦向きの状態と称する）にあるかに応じた表示制御を行うようにしている。その際、表示画面ＤＰを横向きにした状態ではテレビ映像をフル画面サイズで横長表示させ、表示画面ＤＰを縦向きにした状態ではテレビ映像を所定サイズで横長表示させるようにしている。
【００２２】
ここで、図３（１）は、表示画面ＤＰを縦向きにした状態において、テレビ映像を所定サイズで横長表示させた場合の縦向・横長表示を示した図、また、（２）は、表示画面ＤＰを横向きにした状態において、テレビ映像をフル画面サイズで横長表示させた場合の横向き・横長表示を示した図である。なお、図中、斜線を付して示した部分は、表示画面ＤＰ内に表示されるテレビ映像の表示領域であって、図３（１）の斜線部分は、上述した所定サイズを示し、また、（２）の斜線部分は、上述したフル画面サイズを示している。この場合、所定サイズは、図３（１）に示すように、縦向きの表示画面ＤＰにおいてその上側領域に相当する長方形の大きさで、この長方形の長辺は表示画面ＤＰの短辺に相当し、１セグ放送の標準表示サイズ（第１表示サイズ）を示している。また、フル画面サイズは、図３（２）に示すように、横向きにした表示画面ＤＰにおいてその表示域全体に相当する長方形の大きさで、１２セグ放送の標準表示サイズ（第２表示サイズ）を示している。
【００２３】
操作部１９は、ダイヤル入力、文字入力、コマンド入力などを行うもので、テレビ放送受信機能をＯＮ（オン）／ＯＦＦ（オフ）させるテレビＯＮ／ＯＦＦキー、表示画面ＤＰの向きに応じてテレビ映像の表示状態を切り替える縦横切替キー、表示内容の拡大／縮小を指示する表示ズームキーなどを有し、ＣＰＵ１１は、操作部１９からの入力信号に応じた処理を実行する。スタイル検出センサ２０は、装置本体を構成する２つの筐体（操作部筐体１、表示部筐体２）の配置状態に応じて変化する各スタイルを検出するもので、例えば、磁気センサあるいはマイクロスイッチなどによって構成され、ＣＰＵ１１は、スタイル検出センサ２０からの検出信号に基づいて装置本体の各スタイル（オープンスタイル、反オープンスタイル、ビュースタイルなど）を判別する。
【００２４】
クレードル接続部２１は、クレードル（充電スタンド）３０に載置接続された際に、クレードル３０からの充電電流によって二次電池（図示せず）を充電するもので、ＣＰＵ１１は、クレードル接続部１２からの検出信号に基づいて装置本体がクレードル３０に載置されて両者が電気的に接続されたか否かを検出する。なお、表示画面ＤＰが横向き状態（図３（２）参照）となるように装置本体をクレードル３０に載置するようにしている。また、クレードル３０は、ＡＣ電源に接続されている状態において携帯電話装置が載置された際に、携帯電話装置の二次電池に対して充電電流を供給する充電機能のほか、テレビ放送を視聴するために携帯電話装置を載置するスタンドとして機能する。本体向きセンサ２２は、表示画面ＤＰの向きを検出するもので、例えば、加速度センサなどによって構成され、例えば、図３（１）に示すように表示画面ＤＰが縦向きの状態であるか、図３（２）に示すように表示画面ＤＰが横向きの状態であるかを検出し、その検出信号をＣＰＵ１１に与える。
【００２５】
次に、この第１実施形態における携帯電話装置の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
なお、図４及び図５は、携帯電話装置の全体動作のうち、本実施形態の特徴部分の動作概要を示したフローチャートであり、この図４及び図５のフローから抜けた際には、全体動作のフロー（図示省略）に戻る。
【００２６】
図４及び図５は、テレビ放送受信機能をＯＮさせた場合に実行開始されるテレビ放送受信出力処理を示したフローチャートである。
先ず、ＣＰＵ１１は、テレビＯＮ／ＯＦＦキーの操作でテレビ放送受信機能がＯＮされると、スタイル検出センサ２０をアクセスして現在のスタイルはビュースタイルであるかを判別し、オープンスタイルであれば（ステップＡ１でＮＯ）、テレビ放送通信部１７を制御し、前回視聴していたチャンネルを選局してその１セグ放送の受信を開始する（ステップＡ２）。この場合、オープンスタイルでは表示画面ＤＰが縦向きであると認識して、１セグ放送のテレビ映像を縦向き・横長表示させる（ステップＡ３）。図６（１）は、１セグ放送のテレビ映像をその標準表示サイズ（第１表示サイズ）で縦向き・横長表示させた場合の表示例を示した図で、表示画面ＤＰの上側領域にはテレビ映像が横長表示され、その中間領域及び下側領域にはその放送の文字データが表示されている。
【００２７】
また、現在のスタイルがビュースタイルであれば（ステップＡ１でＹＥＳ）、前回視聴していたチャンネルを選局してその１２セグ放送の受信を開始する（ステップＡ４）。この場合、ビュースタイルでは表示画面ＤＰが横向きであると認識して、１２セグ放送のテレビ映像を横向き・横長表示させる（ステップＡ５）。図６（２）は、１２セグ放送のテレビ映像をその標準表示サイズ（第２表示サイズ）で横向き・横長表示させた場合の表示例を示したもので、表示画面ＤＰの表示域全体にテレビ映像が横長表示される。
【００２８】
このように１セグ放送が縦向き・横長表示されている状態、あるいは１２セグ放送が横向き・横長表示されている状態において、何らかの操作が行われると（ステップＡ６でＹＥＳ）、それがチャンネル送り操作であれば（ステップＡ７でＹＥＳ）、テレビ放送通信部１７にチャンネル送りを指示したのちに新たなチャンネルの受信を開始する（ステップＡ８）。その後、上述のステップＡ６に戻り、操作有無をチェックする。
【００２９】
また、チャンネル送り操作以外の操作が行われた場合には、表示画面ＤＰの向きを切り替える縦横切替キーが操作されたのかを調べ（ステップＡ９）、音量調整などのその他の操作が行われたときには（ステップＡ９でＮＯ）、その操作に応じた処理として、例えば、音量調整処理などを実行するが（ステップＡ１０）、縦横切替キーが操作されたときには（ステップＡ９でＹＥＳ）、図５のフローに移り、本体向きセンサ２２をアクセスして現在の表示画面ＤＰの向きは、縦向きか否かを判別する（ステップＡ１６）。いま、表示画面ＤＰが縦向きの状態で縦横切替キーが操作されたときには（ステップＡ１６でＹＥＳ）、以下、縦向きから横向きへの表示に切り替える表示制御処理に移る（ステップＡ１７〜Ａ２３）。
【００３０】
すなわち、ＣＰＵ１１は、先ず、１セグ放送の受信中であるかを調べ（ステップＡ１７）、１２セグ放送を受信しているときには（ステップＡ１７でＮＯ）、つまり、表示画面ＤＰが縦向きの状態で１２セグ放送を視聴している場合に縦横切替キーが操作されたときには、１２セグ放送の内容をその標準表示サイズ（第２表示サイズ）に戻して横向き・横長表示させる（ステップＡ１８）。また、１セグ放送の受信中であれば（ステップＡ１７でＹＥＳ）、１セグ放送の内容に継続して、１２セグ放送の内容を受信可能であるか否かを判別するために、現在視聴中の１セグ放送の番組情報と１２セグ放送の番組情報とを比較し、１２セグ放送に同一番組が含まれているかに基づいてサイマル放送の有無を調べる（ステップＡ１９）。
【００３１】
いま、サイマル放送が無ければ（ステップＡ１９でＮＯ）、１セグ放送の表示サイズ（映像サイズ）を１２セグ放送の標準表示サイズ（第２表示サイズ）に拡大して横向き・横長表示させる（ステップＡ２０）。図６（４）は、この場合の表示例を示したもので、縦向き・横長表示されていた１セグ放送の表示サイズは、１２セグ放送の標準表示サイズ（第２表示サイズ）に拡大表示されることにより、図６（３）の表示状態から（４）の表示状態に切り替えられる。
【００３２】
また、サイマル放送が有れば（ステップＡ１９でＹＥＳ）、１セグ放送の受信チャンネルを１２セグ放送で受信した場合の受信感度に基づいて継続受信が可能か否かを判別する（ステップＡ２１）。すなわち、１２セグ放送の放送信号の受信電界強度などからその受信感度は良好か否かを判別し、受信感度が不良であれば（ステップＡ２１でＮＯ）、上述の場合と同様に、１セグ放送の表示サイズを１２セグ放送の標準表示サイズ（第２表示サイズ）に拡大して横向き・横長表示させる（ステップＡ２０）。
【００３３】
また、１２セグ放送の受信感度が良好であれば（ステップＡ２１でＹＥＳ）、１セグ放送から１２セグ放送への継続受信が可能であると判断し、１セグ放送から１２セグ放送への受信切り替えを行ったのち（ステップＡ２２）、１２セグ放送をその標準表示サイズ（第２表示サイズ）で横向き・横長表示させる（ステップＡ２３）。図６（２）は、この場合の表示例を示したもので、縦向き・横長表示されていた１セグ放送の表示サイズは、１２セグ放送の標準表示サイズ（第２表示サイズ）に拡大表示されることにより、図６（１）の表示状態から（２）の表示状態に切り替えられる。
【００３４】
一方、表示画面ＤＰが横向きの状態において縦横切替キーが操作されたときには（ステップＡ１６でＮＯ）、以下、縦向きから横向きへの表示に切り替える表示制御処理に移る（ステップＡ２４〜Ａ２９）。すなわち、ＣＰＵ１１は、先ず、１２セグ放送の受信中（１２セグ放送を視聴中）であるかを調べ（ステップＡ２４）、縦横切替キーの操作時に１セグ放送を受信しているときには（ステップＡ２４でＮＯ）、１セグ放送の内容をその標準表示サイズ（第１表示サイズ）に戻して縦向き・横長表示させる（ステップＡ２５）。
【００３５】
また、１２セグ放送の受信中であれば（ステップＡ２４でＹＥＳ）、上述の場合と同様に、１２セグ放送の内容に継続して、１セグ放送の内容を受信可能であるか否かを判別するために、１セグ放送に同一番組が含まれているかに基づいてサイマル放送の有無を調べ（ステップＡ２６）、サイマル放送が無ければ（ステップＡ２６でＮＯ）、１２セグ放送の表示サイズ（映像サイズ）を１セグ放送の標準表示サイズ（第１表示サイズ）に縮小して縦向き・横長表示させる（ステップＡ２７）。また、サイマル放送が有れば（ステップＡ２６でＹＥＳ）、１２セグ放送から１セグ放送への継続受信が可能であると判断し、１２セグ放送から１セグ放送への受信切り替えを行ったのちに（ステップＡ２８）、１セグ放送をその標準表示サイズ（第１表示サイズ）で縦向き・横長表示させる（ステップＡ２９）。
【００３６】
他方、操作無しのタイミングにおいては（図４のステップＡ６でＮＯ）、スタイルの切り替えなどに応じて表示サイズの変更が指示されたかをチェックする（ステップＡ１１〜Ａ１３）。先ず、スタイル検出センサ２０からの検出信号に基づいてスタイルの切り替えを検出した場合に（ステップＡ１１でＹＥＳ）、それがビュースタイルからオープンスタイルへの切り替えであれば（ステップＡ１４でＹＥＳ）、上述した図５のステップＡ２４〜Ａ２９に移り、横向きから縦向きへの表示に切り替える表示制御処理を実行するが、オープンスタイルからビュースタイルへの切り替えであれば（ステップＡ１４でＮＯ）、上述した図５のステップＡ１７〜Ａ２３に移り、縦向きから横向きへの表示に切り替える表示制御処理を実行する。
【００３７】
また、クレードル接続部２１からの検出信号に基づいてクレードル３０にセット（載置）されたかを調べ（ステップＡ１２）、クレードル３０へのセットが検出されると、縦向きから横向きへの表示に切り替える表示制御処理に移る（図５のステップＡ１７〜Ａ２３）。また、本体向きセンサ２２からの検出信号に基づいて表示画面ＤＰの向きが変更されたかを調べ（ステップＡ１３）、表示画面ＤＰの向きが変更されたときには、縦向きかかを判別し（ステップＡ１５）、縦向きへの変更であれば（ステップＡ１５でＹＥＳ）、横向きから縦向きへの表示に切り替える表示制御処理に移るが（図５のステップＡ２４〜Ａ２９）、横向きへの変更であれば（ステップＡ１５でＮＯ）、縦向きから横向きへの表示に切り替える表示制御処理に移る（図５のステップＡ１７〜Ａ２３）。
【００３８】
以上のように、この第１実施形態においてＣＰＵ１１は、テレビ放送通信部１７で受信した１セグ放送の内容を表示している状態において、その表示サイズの変更が指示された際に、１セグ放送の内容に継続して、１２セグ放送の内容を受信可能であれば、１２セグ放送の受信に切り替えてその放送内容を１２セグ放送の標準表示サイズ（第２表示サイズ）で表示させるが、１セグ放送から１２セグ放送への継続受信が不可能であれば、１セグ放送の内容を第２表示サイズに変更して表示させるようにしたので、受信した放送内容の表示中にその表示サイズの変更を指示するだけで、その放送内容の視聴を寸断することなく、当該放送内容を変更後の表示サイズで視聴することができるようになり、ユーザの負担を大幅に軽減することが可能となる。
【００３９】
１セグ放送と１２セグ放送とを共に有するデジタル放送信号において、１セグ放送の標準表示サイズ（第１表示サイズ）から１２セグ放送の標準表示サイズ（第２表示サイズ）への変更が指示された際に、放送受信の切り替えを行うだけで放送内容の表示サイズを制御することが可能となる。
【００４０】
表示サイズの変更は、表示画面ＤＰ上における表示領域の大きさ自体の変更であり、表示画面ＤＰの向きを切り替える縦横切替キーが操作された場合に表示サイズの変更が指示されたものとするほか、装置本体のスタイル変更に応じて表示画面ＤＰの向きが変更された場合、装置本体をクレードル３０にセットすることによって表示画面ＤＰの向きが変更された場合、装置本体の向きを変更することによって表示画面ＤＰの向きが変更された場合にも、表示サイズの変更が指示されたものとするので、縦横切替キーの操作に限らず、装置本体のスタイル変更、クレードル３０へのセット、装置本体の向き変更時でも表示画面ＤＰの向きに応じて表示領域の大きさ自体を変更する表示制御を行うことが可能となる。
【００４１】
表示サイズの変更が指示された際に、１セグ放送から１２セグ放送への継続受信が可能か否かの判別に先立って、現在受信中の放送は１セグ放送か１２セグ放送かを判別し、１セグ放送の受信中であれば、上述の継続受信可否の判別を行うが、１２セグ放送を受信中であれば、この１２セグ放送の内容を第２表示サイズで表示させるようにしたので、１２セグ放送受信中でのサイズ変更時には、継続受信可否を判別することなく、表示サイズを変更することができる。
【００４２】
１セグ放送の番組情報と１２セグ放送の番組情報とを比較してサイマル放送の有無に応じて継続受信が可能か否かを判別するようにしたので、円滑な継続視聴が可能となる。
また、１セグ放送の受信チャンネルを１２セグ放送で受信した場合の受信品質に基づいて継続受信が可能か否かを判別するようにしたので、円滑な継続視聴が可能となる。
【００４３】
なお、上述した第１実施形態においては、第１放送形式を１セグ放送とし、第２放送形式を１２セグ放送としたが、これとは逆に、第１放送形式を１２セグ放送とし、第２放送形式を１セグ放送としてもよい。この場合、１２セグ放送の標準表示サイズを第１表示サイズとし、１セグ放送の標準表示サイズを第２表示サイズとすればよい。
【００４４】
（実施形態２）
以下、この発明の第２実施形態について図７及び図８を参照して説明する。
なお、上述した第１実施形態においては、放送内容を表示している状態において、その表示サイズの変更が指示された際に、この新たなサイズで放送内容を表示するようにしたが、この第２実施形態においては、放送内容を表示している状態において、その表示倍率の変更が指示された際に、この新たな倍率で放送内容を表示するようにしたものである。
ここで、両実施形態において基本的あるいは名称的に同一のものは、同一符号を付して示し、その説明を省略すると共に、以下、第２実施形態の特徴部分を中心に説明するものとする。
【００４５】
図７及び図８は、第２実施形態において、テレビ放送受信機能をＯＮさせた場合に実行開始されるテレビ放送受信出力処理を示したフローチャートである。
先ず、ＣＰＵ１１は、テレビＯＮ／ＯＦＦキーの操作でテレビ放送受信機能がＯＮされると、スタイル検出センサ２０をアクセスして現在のスタイルはビュースタイルかを判別し（ステップＢ１）、オープンスタイルであれば（ステップＢ１でＮＯ）、テレビ放送通信部１７を制御し、前回視聴していたチャンネルを選局してその１セグ放送の受信を開始する（ステップＢ３）。
【００４６】
この場合、オープンスタイルでは表示画面ＤＰが縦向きであると認識して、１セグ放送のテレビ映像を縦向き・横長表示させるが、その際、１セグ放送の内容をその標準表示倍率（第１表示倍率）で表示させる。ここで、第１表示倍率は、図３（１）に示すように、縦向きにした表示画面ＤＰにおいて１セグ放送の内容がその上側領域に相当する長方形の大きさで表示されるように予め決められた１セグ放送の標準表示倍率であり、１セグ放送の内容がその標準表示倍率で表示されることを示している。
【００４７】
また、ビュースタイルであれば（ステップＢ１でＹＥＳ）、前回視聴していたチャンネルを選局してその１２セグ放送の受信を開始する（ステップＢ４）。この場合、ビュースタイルでは表示画面ＤＰが横向きであると認識して、１２セグ放送のテレビ映像を横向き・横長表示させるが、その際、１２セグ放送の標準表示倍率（第２表示倍率）で表示させる（ステップＢ５）。ここで、第２表示倍率は、図３（２）に示すように、横向きにした表示画面ＤＰの表示域全体に１２セグ放送の内容が表示されるように予め決められた１２セグ放送の標準表示倍率であり、１２セグ放送の内容がその標準表示倍率で表示されることを示している。
【００４８】
このように１セグ放送あるいは１２セグ放送が表示されている状態において、何らかの操作が行われると（ステップＢ６でＹＥＳ）、それがチャンネル送り操作であれば（ステップＢ７でＹＥＳ）、テレビ放送通信部１７にチャンネル送りを指示して、この新たなチャンネルの受信を開始したのち（ステップＢ８）、上述のステップＢ６に戻り、操作有無をチェックする。また、チャンネル送り操作以外の操作が行われたときには、表示内容の拡大／縮小を指示する表示ズームキーが操作されたかを調べ（ステップＢ９）、音量調整などのその他の操作が行われたときには（ステップＢ９でＮＯ）、その操作に応じた処理として、例えば、音量調整処理などの実行に移る（ステップＢ１０）。
【００４９】
表示ズームキーが操作されたときには（ステップＢ９でＹＥＳ）、図８のフローに移り、表示ズームキーの操作に応答して表示拡大処理あるいは表示縮小処理を実行する。すなわち、表示ズームキー操作時に現在の表示内容が拡大ズームされたものでなければ（ステップＢ１１でＮＯ）、以下、表示拡大処理の実行に移り（ステップＢ１２〜Ｂ１８）、また、拡大ズームされたものであれば（ステップＢ１１でＹＥＳ）、以下、表示縮小処理の実行に移る（ステップＢ１９〜Ｂ２５）。
【００５０】
すなわち、表示拡大処理が開始されると、１セグ放送を受信中か否かを調べ（ステップＢ１２）、表示ズームキー操作時に１２セグ放送を受信している場合には（ステップＢ１２でＮＯ）、１２セグ放送の内容をその標準表示倍率（第２表示倍率）で拡大ズーム表示させる（ステップＢ１８）。また、１セグ放送を受信している場合には（ステップＢ１２でＹＥＳ）、１セグ放送の内容に継続して、１２セグ放送の内容を受信可能であるか否かを判別するために、上述と同様に、サイマル放送の有無を調べ（ステップＢ１３）、サイマル放送が無ければ（ステップＢ１３でＮＯ）、１セグ放送の内容を１２セグ放送の標準表示倍率（第２表示倍率）で拡大ズーム表示させる（ステップＢ１４）。
【００５１】
また、サイマル放送が有れば（ステップＢ１３でＹＥＳ）、１セグ放送の受信チャンネルを１２セグ放送で受信した場合の受信感度を検出し（ステップＢ１５）、その受信感度が不良であれば（ステップＢ１６でＮＯ）、上述の場合と同様に、１セグ放送の内容を１２セグ放送の標準表示倍率（第２表示倍率）で拡大ズーム表示させる（ステップＢ１４）。また、１２セグ放送の受信感度が良好であれば（ステップＢ１６でＹＥＳ）、１セグ放送から１２セグ放送への受信に切り替えたのち（ステップＢ１７）、１２セグ放送の内容をその標準表示倍率（第２表示倍率）に拡大ズーム表示させる（ステップＢ１８）。
【００５２】
一方、表示縮小処理が開始されると、１２セグ放送を受信中か否かを調べ（ステップＢ１９）、表示ズームキー操作時に１セグ放送を受信している場合には（ステップＢ１９でＮＯ）、１セグ放送の内容をその標準表示倍率（第１表示倍率）で縮小表示させる（ステップＢ２５）。また、１２セグ放送を受信している場合には（ステップＢ１９でＹＥＳ）、１２セグ放送の内容に継続して、１セグ放送の内容を受信可能であるか否かを判別するために、上述と同様に、サイマル放送の有無を調べ（ステップＢ２０）、サイマル放送が無ければ（ステップＢ２０でＮＯ）、１２セグ放送の内容を１セグ放送の標準表示倍率（第１表示倍率）で縮小表示させる（ステップＢ２１）。
【００５３】
また、サイマル放送が有れば（ステップＢ２０でＹＥＳ）、１２セグ放送の受信チャンネルを１セグ放送で受信した場合の受信感度を検出し（ステップＢ２２）、その受信感度が不良であれば（ステップＢ２３でＮＯ）、上述の場合と同様に、１２セグ放送の内容を１セグ放送の標準表示倍率（第１表示倍率）で縮小表示させる（ステップＢ２１）。また、１セグ放送の受信感度が良好であれば（ステップＢ２３でＹＥＳ）、１２セグ放送から１セグ放送への受信に切り替えたのち（ステップＢ２４）、１セグ放送の内容をその標準表示倍率（第１表示倍率）に縮小表示させる（ステップＢ２５）。
【００５４】
以上のように、この第２実施形態においてＣＰＵ１１は、テレビ放送通信部１７で受信した１セグ放送の内容を表示している状態において、表示倍率の変更が指示された際に、１セグ放送の内容に継続して、１２セグ放送の内容を受信可能であれば、１２セグ放送の受信に切り替えてその放送内容を１２セグ放送の標準表示倍率（第２表示倍率）で表示させるが、１セグ放送から１２セグ放送への継続受信が不可能であれば、１セグ放送の内容を第２表示倍率に変更して表示させるようにしたので、受信した放送内容の表示中にその表示倍率の変更を指示するだけで、その放送内容の視聴を寸断することなく、当該放送内容を変更後の表示倍率で視聴することができるようになり、ユーザの負担を大幅に軽減することが可能となる。
【００５５】
１セグ放送と１２セグ放送とを共に有するデジタル放送信号において、１セグ放送の標準表示倍率（第１表示倍率）から１２セグ放送の標準表示倍率（第２表示倍率）への変更が指示された際に、放送受信の切り替えを行うだけで放送内容の表示倍率を制御することが可能となる。
【００５６】
表示サイズの変更は、表示画面ＰＤ上の表示内容自体の拡大縮小であり、表示倍率の変更を指示する操作が行われた際に、表示倍率の変更を指示するようにしたので、表示内容自体の拡大縮小を変更する表示制御が可能となる。
【００５７】
１セグ放送の番組情報と１２セグ放送の番組情報とを比較してサイマル放送の有無に応じて継続受信が可能か否かを判別するようにしたので、円滑な継続視聴が可能となる。
また、１セグ放送の受信チャンネルを１２セグ放送で受信した場合の受信品質に基づいて継続受信が可能か否かを判別するようにしたので、円滑な継続視聴が可能となる。
【００５８】
なお、上述した第２実施形態においては、第１放送形式を１セグ放送とし、第２放送形式を１２セグ放送としたが、これとは逆に、第１放送形式を１２セグ放送とし、第２放送形式を１セグ放送としてもよい。この場合、１２セグ放送の標準表示倍率を第１表示倍率とし、１セグ放送の標準表示倍率を第２表示倍率とすればよい。
【００５９】
上述した各実施形態は、操作部筐体１と表示部筐体２とを折り畳み開閉自在及び回動自在にヒンジ部３を介して連結した２軸ヒンジタイプの携帯電話装置を例示したが、これに限らず、例えば、折り畳み型、リボルバー型、スライド型などの携帯電話装置であってもよい。
【００６０】
上述した各実施形態においては、複数の放送形式として１セグ放送、１２セグ放送を受信する場合を例示したが、放送信号を電波受信する場合に限らず、インターネットを利用したＷｅｂテレビ放送を受信する場合であっても同様に適用可能である。
その他、上述した各実施形態は、携帯電話装置に限らず、例えば、ＰＤＡ、電子カメラ、電子腕時計、音楽再生機などの携帯端末装置であっても同様に適用可能である。
【図面の簡単な説明】
【００６１】
【図１】携帯端末装置として適用した携帯電話装置の外観図で、（１）は、オープンスタイル、（２）は、反オープンスタイル、（３）は、反オープンスタイルから表示部筐体２を折り畳み始めた途中の状態を示し、（４）は、ビュースタイルを示した図。
【図２】携帯電話装置の基本的な構成要素を示したブロック図。
【図３】（１）は、表示画面ＤＰを縦向きにした状態でテレビ映像を所定サイズで横長表示させた場合の縦向・横長表示を示した図、（２）は、表示画面ＤＰを横向きにした状態でテレビ映像をフル画面サイズで横長表示させた場合の横向き・横長表示を示した図。
【図４】テレビ放送受信機能をＯＮさせた場合に実行開始されるテレビ放送受信出力処理を示したフローチャート。
【図５】図４に続く、フローチャート。
【図６】（１）、（３）は、１セグ放送のテレビ映像をその標準表示サイズ（第１表示サイズ）で縦向き・横長表示させた場合を示し、（２）は、１２セグ放送を横向き・横長表示させた場合を示し、（４）は、１セグ放送の表示サイズ（映像サイズ）を１２セグ放送の標準表示サイズ（第２表示サイズ）に拡大して横向き・横長表示させた場合を示した図。
【図７】第２実施形態において、テレビ放送受信機能をＯＮさせた場合に実行開始されるテレビ放送受信出力処理を示したフローチャート。
【図８】図７に続く、フローチャート。
【符号の説明】
【００６２】
１  操作部筐体
２  表示部筐体
１１  ＣＰＵ
１２  記憶部
１５  無線通信部
１７  テレビ放送通信部
１８  表示制御部
ＤＰ  表示画面
１９  操作部
２０  スタイル検出センサ
２１  クレードル接続部
２２  本体向きセンサ
３０  クレードル
【図１】
0004497194.tif 000002
【図２】
0004497194.tif 000003
【図３】
0004497194.tif 000004
【図４】
0004497194.tif 000005
【図５】
0004497194.tif 000006
【図６】
0004497194.tif 000007
【図７】
0004497194.tif 000008
【図８】
0004497194.tif 000009